(57)【要約】      （修正有）【課題】一般にわかりにくいと考えられている遺族年金額を簡易に把握することができる遺族年金早見表を提供する。【解決手段】会社員等の職種の被保険者が死亡した場合の遺族年金合計額が掲載された第１の表と、自営業等の職種の被保険者が死亡した場合の遺族年金合計額が掲載された第２の表とを備え、第１の表は、被保険者の年収、及び被保険者以外の家族構成で場合分けされ、それぞれの場合についての遺族年金合計額の掲載欄が設けられ、被保険者の年収の掲載欄、被保険者以外の家族構成の掲載欄、及び遺族年金合計額の掲載欄は、左側から順に配置されており、第２の表は、被保険者以外の家族構成で場合分けされ、それぞれの場合についての遺族年金合計額の掲載欄が設けられ、被保険者以外の家族構成の掲載欄、及び遺族年金合計額の掲載欄は、左側から順に配置されている。【選択図】図１
0003197453.tif 000002
【実用新案登録請求の範囲】
【請求項１】
会社員、公務員及び団体職員から選ばれるいずれかの職種の被保険者が死亡した場合の遺族年金合計額が掲載された第１の表と、自営業、パート及び無職から選ばれるいずれかの職種の被保険者が死亡した場合の遺族年金合計額が掲載された第２の表とを備え、
前記第１の表は、前記被保険者の年収、及び該被保険者以外の家族構成で場合分けされ、それぞれの場合についての遺族年金合計額の掲載欄が設けられており、
前記第２の表は、前記被保険者以外の家族構成で場合分けされ、それぞれの場合についての遺族年金合計額の掲載欄が設けられている
ことを特徴とする遺族年金早見表。
【請求項２】
第１の表及び第２の表において、場合分けされたそれぞれについて、遺族基礎年金額、遺族厚生年金額、及び中高齢寡婦加算額の掲載欄が設けられ、該遺族基礎年金額、遺族厚生年金額、中高齢寡婦加算額の合計額が、遺族年金合計額の掲載欄に掲載されていることを特徴とする請求項１記載の遺族年金早見表。
【請求項３】
第１の表及び第２の表の欄外に、例外・読替規定が掲載されていることを特徴とする請求項１又は２記載の遺族年金早見表。
【請求項４】
１枚のシートからなることを特徴とする請求項１〜３のいずれか記載の遺族年金早見表。
【請求項５】
被保険者である夫が死亡した場合についての第１の表及び第２の表を具備する第１のシートと、被保険者である妻が死亡した場合についての第１の表及び第２の表を具備する第２のシートとを備えたことを特徴とする請求項１〜３のいずれか記載の遺族年金早見表。
【考案の詳細な説明】
【技術分野】
【０００１】
本考案は、遺族年金早見表に係り、詳しくは、被保険者が死亡した場合に、遺された遺族が受け取ることができる遺族年金額を簡易に把握することができる遺族年金早見表に関する。
【背景技術】
【０００２】
高齢化が進む日本においては、老後の生活に対する不安が強く、例えば、夫が死亡した場合に備えて、遺される遺族の生活についての準備をしておきたいという要望は大きい。この遺族の準備としては、生命保険等の私的保障を充実させておくことが考えられるが、この私的保障の必要額を算出するに当たっては、まず、遺族年金等の公的保障を把握しておくことが重要となる。
【０００３】
しかしながら、この公的保障に係る遺族年金額の算出には様々な計算パターンが存在し、一般の人には理解が難しいため、受給できる遺族年金額を個々に専門家に算出してもらっているというのが実情である。
【０００４】
このような状況下、公的年金試算装置等も提案されているが（例えば、特許文献１参照）、このような大掛かりな装置を用いることなく、より手軽に遺族年金等を把握できることが望まれている。
【先行技術文献】
【特許文献】
【０００５】
【特許文献１】特開平１０−０４９５８８号公報
【考案の概要】
【考案が解決しようとする課題】
【０００６】
本考案の課題は、一般にわかりにくいと考えられている遺族年金額を簡易に把握することができる遺族年金早見表を提供することにある。
【課題を解決するための手段】
【０００７】
本考案者は、ファイナンシャルプランナー業を行う中で、一般の人々が、最も基本的な公的保障である遺族年金額について把握できていないことに着目し、その遺族年金額を簡易把握することができるような方法を模索した結果、死亡した被保険者の年収、及び該死亡した被保険者の以外の家族構成で場合分けした表を作成することにより、一般にわかりにくいと考えられている遺族年金額を簡易に把握することができることを見いだし、本考案を完成するに至った。
【０００８】
すなわち、本考案は、会社員、公務員及び団体職員から選ばれるいずれかの職種の被保険者が死亡した場合の遺族年金合計額が掲載された第１の表と、自営業、パート及び無職から選ばれるいずれかの職種の被保険者が死亡した場合の遺族年金合計額が掲載された第２の表とを備え、前記第１の表は、前記被保険者の年収、及び該被保険者以外の家族構成で場合分けされ、それぞれの場合についての遺族年金合計額の掲載欄が設けられており、前記第２の表は、前記被保険者以外の家族構成で場合分けされ、それぞれの場合についての遺族年金合計額の掲載欄が設けられていることを特徴とする遺族年金早見表に関する。
【０００９】
前記第１の表及び第２の表においては、場合分けされたそれぞれについて、遺族基礎年金額、遺族厚生年金額、及び中高齢寡婦加算額の掲載欄が設けられ、該遺族基礎年金額、遺族厚生年金額、中高齢寡婦加算額の合計額が、遺族年金合計額の掲載欄に掲載されていることが好ましく、第１の表及び第２の表の欄外には、例外・読替規定が掲載されていることが好ましい。
【００１０】
また、本考案に係る遺族年金早見表は、１枚のシートからなる構成であってもよく、また、被保険者である夫が死亡した場合についての第１の表及び第２の表を具備する第１のシートと、被保険者である妻が死亡した場合についての第１の表及び第２の表を具備する第２のシートとを備えた構成であってもよい。
【考案の効果】
【００１１】
本考案の遺族年金早見表によれば、一般にわかりにくいと考えられている遺族年金額を簡易に把握することができる。
【図面の簡単な説明】
【００１２】
【図１】図１は、本考案の一実施形態に係る遺族年金早見表（夫が亡くなる場合）である。
【図２】図２は、本考案の一実施形態に係る遺族年金早見表（妻が亡くなる場合）である。
【考案を実施するための形態】
【００１３】
以下、図面に基づき、本考案の一実施形態に係る遺族年金早見表を説明するが、本考案の技術的範囲は、本実施形態に限定されるものではない。
【００１４】
図１及び図２に示すように、本考案の一実施形態に係る遺族年金早見表は、夫が亡くなる場合の第１のシート（図１）と、妻が亡くなる第２のシート（図２）からなる。このように、夫が亡くなる場合の第１のシートと妻が亡くなる場合の第２のシートに分けることにより、遺族年金早見表がより見やすくなり、専門外のことを敬遠しがちな人々にも受け入れやすくなる。
【００１５】
本実施形態においては、上記のように本考案の遺族年金早見表は２枚のシートから構成されるが、見易さ等を考慮して、１枚のシートから構成されてもよく、３枚以上のシートで構成されてもよい。
【００１６】
図１に示すように、夫が亡くなる場合について示された第１のシートは、左欄上部から右欄中央部まで続く第１の表と、右欄の下部の第２の表を備えている。第１の表は、会社員、公務員及び団体職員から選ばれるいずれかの職種の被保険者が亡くなる場合の遺族年金合計額が掲載された表であり、第２の表は、自営業、パート及び無職から選ばれるいずれかの職種の被保険者が亡くなる場合の遺族年金合計額が掲載された表である。なお、本実施の形態においては、第１の表及び第２の表は分離されて記載されているが、一体の表として記載することもできる。
【００１７】
夫が会社員、公務員及び団体職員から選ばれるいずれかの職種の場合に関する第１の表は、大きくは夫の年収によって場合分けされ、さらにその場合分けされた年収ごとに、夫以外の家族構成によって場合分けされている。具体的には、第１の表の最も左の欄に「夫の年収」の欄が設けられ、「１００万円以下」、「２００万円」、「３００万円」、「４００万円」、「５００万円」、「６００万円」、「７００万円」、「８００万円以上」に場合分けされている。「夫の年収」の欄の右側には、夫以外の家族構成を示す「ご家族」の欄が設けられ、各年収のそれぞれにおいて、「妻（のみ）」、「妻＋子１人」、「妻＋子２人」、「妻＋子３人」、「妻＋子４人」に場合分けされている。なお、子の最大人数は、適宜増減させて掲載することができる。
【００１８】
「ご家族」の欄の右側には、遺族基礎年金額、遺族厚生年金額、及び中高齢寡婦加算額がそれぞれ掲載された「遺族基礎年金」、「遺族厚生年金」、及び「中高齢寡婦加算」の欄が左から順次設けられ、さらに右側の欄（最も右側の欄）には、遺族年金合計額が掲載された「遺族年金合計」の欄が設けられている。「遺族基礎年金」、「遺族厚生年金」、及び「中高齢寡婦加算」の欄には、夫の年収及び家族構成により場合分けされたそれぞれのケースに応じた額が記載され、これら遺族基礎年金額、遺族厚生年金額、及び中高齢寡婦加算額の合計額が、遺族年金合計額として、最も右側の「遺族年金合計」の欄に記載されている。
【００１９】
一方、夫が自営業、パート及び無職から選ばれるいずれかの職種の場合に関する第２の表は、夫以外の家族構成によって場合分けされている（「ご家族」の欄）。この第２の表においては、本来「夫の年収」の欄は必ずしも必要がないが、本実施形態においては、夫の年収が遺族年金合計額とは無関係であることが一目でわかるように、第１の表に準じて、最も左側に「夫の年収」の欄を設けて「無関係」との表示を行っており、夫以外の家族構成を示す「ご家族」の欄は、この「夫の年収」の欄の右側に設けられている。
【００２０】
また、第１の表と同様に、ご家族の欄の右側には、遺族基礎年金額、遺族厚生年金額、及び中高齢寡婦加算額がそれぞれ掲載された「遺族基礎年金」、「遺族厚生年金」、及び「中高齢寡婦加算」の欄が設けられ、最も右側の欄には、遺族年金合計額が掲載された「遺族年金合計」欄が設けられている。「遺族基礎年金」の欄には、家族構成により場合分けされたそれぞれのケースに応じた額が記載され、この遺族基礎年金額と同じ額が、遺族年金合計額として、最も右側の「遺族年金合計」の欄に記載されている。
【００２１】
なお、第２の表においては、「遺族厚生年金」及び「中高齢寡婦加算」の欄は、必ずしも設ける必要はないが、「夫の年収」の欄と同様に、第１の表との比較で理解しやすいように、設けておくことが好ましい。
【００２２】
また、この第１の表及び第２の表の欄外には、これら第１の表及び第２の表における例外・読替規定が掲載されている。すなわち、第１の表及び第２の表には、一般的なケースの例が記載されており、かかる欄外の例外・読替規定の記載によって、その他の稀なケースにも対応可能となっている。
【００２３】
具体的に、例えば、「子がない妻の場合、夫の死亡時に４０歳未満の妻には中高齢寡婦加算が給付されない」、「夫の厚生年金加入期間が３００月を超える場合は、遺族厚生年金が増額される」といった例外規定や、「妻も死亡する場合、ご家族欄の『妻』を『子』に読み替える（『妻＋子１人』は『子２人』に読み替える）。また、子１人の場合、遺族基礎年金は７７万円」といった例外及び読替規定や、「夫が自営業・専業主夫・パートであっても、厚生年金に加入していれば会社員として読み替える」といった読替規定が記載される。
【００２４】
上記のような構成の第１のシートにより、夫が亡くなった場合の遺族年金額（遺族年金合計額）を簡易に把握することができる。
【００２５】
また、妻が亡くなった場合の第２のシートについては、夫が亡くなった場合の第１のシートとほぼ同様の構成となるので、説明を省略する。第２のシートにより、妻が亡くなった場合の遺族年金額（遺族年金合計額）を簡易に把握することができる。
【産業上の利用可能性】
【００２６】
本考案の遺族年金早見表によれば、遺族年金額（概算）を簡易に把握することができ、必要な私的保障を算出する際に特に有用である。また、ファイナンシャルプランナー等の専門家が、本考案の遺族年金表を用いることにより、遺族年金についての説明を容易に行うことが可能となり、産業上の有用性は高い。
【図１】
0003197453.tif 000003
【図２】
0003197453.tif 000004
【手続補正書】
【提出日】平成27年3月5日(2015.3.5)
【手続補正１】
【補正対象書類名】実用新案登録請求の範囲
【補正対象項目名】全文
【補正方法】変更
【補正の内容】
【実用新案登録請求の範囲】
【請求項１】
会社員、公務員及び団体職員から選ばれるいずれかの職種の被保険者が死亡した場合の遺族年金合計額が掲載された第１の表と、自営業、パート及び無職から選ばれるいずれかの職種の被保険者が死亡した場合の遺族年金合計額が掲載された第２の表とを備え、
前記第１の表は、前記被保険者の年収、及び該被保険者以外の家族構成で場合分けされ、それぞれの場合についての遺族年金合計額の掲載欄が設けられ、前記被保険者の年収の掲載欄、被保険者以外の家族構成の掲載欄、及び遺族年金合計額の掲載欄は、左側から順に配置されており、
前記第２の表は、前記被保険者以外の家族構成で場合分けされ、それぞれの場合についての遺族年金合計額の掲載欄が設けられ、前記被保険者以外の家族構成の掲載欄、及び遺族年金合計額の掲載欄は、左側から順に配置されている
ことを特徴とする遺族年金早見表。
【請求項２】
第１の表及び第２の表において、場合分けされたそれぞれについて、遺族基礎年金額、遺族厚生年金額、及び中高齢寡婦加算額の掲載欄が設けられ、該遺族基礎年金額、遺族厚生年金額、中高齢寡婦加算額の合計額が、遺族年金合計額の掲載欄に掲載されていることを特徴とする請求項１記載の遺族年金早見表。
【請求項３】
第１の表及び第２の表の欄外に、例外・読替規定が掲載されていることを特徴とする請求項１又は２記載の遺族年金早見表。
【請求項４】
１枚のシートからなることを特徴とする請求項１〜３のいずれか記載の遺族年金早見表。
【請求項５】
被保険者である夫が死亡した場合についての第１の表及び第２の表を具備する第１のシートと、被保険者である妻が死亡した場合についての第１の表及び第２の表を具備する第２のシートとを備えたことを特徴とする請求項１〜３のいずれか記載の遺族年金早見表。